(57)【要約】【課題】組立の作業性の向上を図りつつカバー以外の部材の大きさや形状などの制約を受け難くする。【解決手段】鍔部３２２の差込部３２４が差込口５１０から差し込まれて支持部５１に支持されるから、ねじ止めと比較して、取付板５へのカバー本体３２の取付（組立）の作業性の向上を図ることができる。しかも、カバー本体３２の短手方向から、差込部３２４が差込口５１０に差し込まれるので、取付板５の前面（下面）と平行にカバー本体がスライドされて取り付けられる場合に比べ、取付板５の大きさや形状などが制約され難い。【選択図】        図４
2017103017.tif 000002
【特許請求の範囲】
【請求項１】
１つ又は複数の光源モジュールと、前面に前記光源モジュールが取り付けられる取付板と、透光性を有する材料で形成され、前記光源モジュールを前方から覆うように前記取付板の前記前面に取り付けられるカバーとを有し、
前記光源モジュールは、長尺の基板と、前記基板の前面に実装されている複数の固体発光素子とを備え、
前記カバーは、一面が開放された長尺の箱状に形成されているカバー本体と、前記カバー本体の開放されている側の縁において長手方向に沿って前記カバー本体から離れる向きに突出する鍔部と、前記鍔部に設けられている１つ又は複数の差込部とを有し、
前記取付板は、口の開いた袋状であって、前記口から前記差込部が差し込まれ、かつ、差し込まれた前記差込部を支持する１つ又は複数の支持部が設けられており、
前記支持部は、前記カバー本体の短手方向に沿って前記差込部が差し込まれる向きに前記口が開いていることを特徴とする照明器具。
【請求項２】
前記鍔部は、前記カバー本体の短手方向に沿った幅が、前記カバー本体の短手方向に沿った前記支持部の長さよりも大きくなるように形成されていることを特徴とする請求項１記載の照明器具。
【請求項３】
前記取付板の前記前面に取り付けられ、前記光源モジュールから放射される照明光を前方へ反射する１つ又は複数の反射部材を有し、
前記反射部材は、前面が反射面となる反射板と、前記反射板の後方に配置されて前記取付板に固定されている固定片とを有し、
前記固定片は、前記鍔部を前記取付板との間に挟むようにして前記取付板に固定されていることを特徴とする請求項１又は２記載の照明器具。
【請求項４】
前記反射部材は、前端側で前記反射板と連結され、かつ、後端側で前記固定片と連結されている側板を有しており、
前記カバー本体は、前記光源モジュールの前方に配置されている主部と、前記主部の長手方向に沿った両側の端縁から後方へ突出する一対の側壁部とを有しており、
前記反射部材は、前記側板が前記側壁部と隣り合うように前記取付板の前記前面に取り付けられていることを特徴とする請求項３記載の照明器具。
【発明の詳細な説明】
【技術分野】
【０００１】
本発明は、照明器具に関し、より詳細には光源を覆うカバーを備えている照明器具に関する。
【背景技術】
【０００２】
従来例として、特許文献１記載の照明器具を例示する。特許文献１記載の照明器具（以下、従来例という）は、器具本体と、電源部と、一対の支持部と、光源モジュールと、光源部カバーと、一対のストッパと、カバー部材とを具備している。また、光源モジュールは、反射部材と、光源部とからなる。さらに、反射部材は、ベース部と、一対の側壁部と、一対の反射部とを有し、側壁部と反射部とが連続した角部のそれぞれに、内向きに開放するカバー取り付け溝が形成されている。なお、これらのカバー取り付け溝の長手方向の両端がそれぞれ開放されている。
【０００３】
光源部は、長尺の矩形板状に形成されているモジュール基板と、モジュール基板の上面に実装されている複数のＬＥＤと、ＬＥＤを覆う蛍光体層とを有している。光源部は、反射部材のベース部に、モジュール基板がねじ止めされている。光源モジュールは、器具本体に支持されている。
【０００４】
光源部カバーは、アクリル樹脂などの透光性を有する合成樹脂により、半円筒形状の光拡散部と、光拡散部の長手方向の両端縁から外向きに突出する一対の取付縁とが一体に形成されている。光源部カバーは、一対のカバー取り付け溝に、反射部材の端面から長手方向に沿って一対の取付縁が挿入されることにより、反射部材の下端部に支持されている。こうして支持された光源部カバーは、光源部の下方に配置されていて、光源部を下方から覆っている。
【先行技術文献】
【特許文献】
【０００５】
【特許文献１】特開２０１１−０７０９４０号公報
【発明の概要】
【発明が解決しようとする課題】
【０００６】
しかしながら、特許文献１記載の従来例のような構造では、少なくともカバー取り付け溝の開放端の外側に、器具本体などの構造物を配置することができない。そのため、特許文献１記載の従来例は、組立の作業性の向上を図ることはできても、器具本体などの光源部カバー（カバー）以外の部材の大きさや形状などが制約を受けやすくなってしまう。
【０００７】
本発明は、上記課題に鑑みてなされており、組立の作業性の向上を図りつつカバー以外の部材の大きさや形状などの制約を受け難くすることを目的とする。
【課題を解決するための手段】
【０００８】
本発明の照明器具は、１つ又は複数の光源モジュールと、前面に前記光源モジュールが取り付けられる取付板と、透光性を有する材料で形成され、前記光源モジュールを前方から覆うように前記取付板の前記前面に取り付けられるカバーとを有し、前記光源モジュールは、長尺の基板と、前記基板の前面に実装されている複数の固体発光素子とを備え、前記カバーは、一面が開放された長尺の箱状に形成されているカバー本体と、前記カバー本体の開放されている側の縁において長手方向に沿って前記カバー本体から離れる向きに突出する鍔部と、前記鍔部に設けられている１つ又は複数の差込部とを有し、前記取付板は、口の開いた袋状であって、前記口から前記差込部が差し込まれ、かつ、差し込まれた前記差込部を支持する１つ又は複数の支持部が設けられており、前記支持部は、前記カバー本体の短手方向に沿って前記差込部が差し込まれる向きに前記口が開いていることを特徴とする。
【発明の効果】
【０００９】
本発明の照明器具は、組立の作業性の向上を図りつつカバー以外の部材の大きさや形状などの制約を受け難くすることができるという効果がある。
【図面の簡単な説明】
【００１０】
【図１】本発明の実施形態に係る照明器具の斜視図である。
【図２】本発明の実施形態に係る照明器具の下方から見た分解斜視図である。
【図３】本発明の実施形態に係る照明器具の上方から見た分解斜視図である。
【図４】本発明の実施形態に係る照明器具における取付板とカバー本体の要部を示し、差込部が支持部に支持されていない状態の斜視図である。
【図５】本発明の実施形態に係る照明器具における取付板とカバー本体の要部を示し、差込部が支持部に支持されている状態の斜視図である。
【図６】本発明の実施形態に係る照明器具における取付板と光源ユニットの要部の断面図である。
【発明を実施するための形態】
【００１１】
以下、本発明の実施形態に係る照明器具について、図面を参照して詳細に説明する。なお、以下の実施形態で説明する構成は本発明の一例にすぎない。本発明は、以下の実施形態に限定されず、本発明に係る技術的思想を逸脱しない範囲であれば、設計等に応じて種々の変更が可能である。
【００１２】
本発明の実施形態に係る照明器具Ｘ（以下、照明器具Ｘという）は、図１〜図３に示すように器具本体１と、器具本体１に対して着脱自在に取り付けられる点灯ユニット２とを備える。また、以下の説明では、特に断りのない限り、図１に示す向きにおいて、器具本体１の高さ方向を上下方向、光源ユニット３の長手方向を左右方向、光源ユニット３と反射部材７が並ぶ方向を前後方向と規定する。つまり、器具本体１及び光源ユニット３の前方が下方となり、器具本体１及び光源ユニット３の後方が上方となる。
【００１３】
器具本体１は、矩形板状の本体部１０と、本体部１０の長手方向（前後方向）における両端から下向きに垂下されている一対の脚部１１とを有している。ただし、本体部１０と一対の脚部１１とは、鋼板などの金属板が曲げ加工されることで一体に形成されている。本体部１０は、給電用の電源線が挿通される挿通孔１００が設けられている（図３参照）。挿通孔１００に挿通される電源線は、本体部１０の下面に固定される端子台１２に電気的に接続される（図２参照）。さらに、本体部１０は、建物の躯体に埋め込まれている吊りボルトが挿通される複数（図示例では３つ）のボルト挿通孔１０１が前後方向に一列に並べて設けられている（図３参照）。器具本体１は、天井材の埋込孔に挿入され、本体部１０のボルト挿通孔１０１に挿通される吊りボルトにナットが締め付けられて吊りボルトに固定される。なお、本体部１０は、長手方向の両端に、おおよそ台形状の引掛孔１０２がそれぞれ厚み方向（上下方向）に貫通するように設けられている（図３参照）。
【００１４】
点灯ユニット２は、図１〜図３に示すように、複数（図示例では３つ）の光源ユニット３、電源装置４、取付板５、無線通信装置６、反射部材７、取付枠８などを備えている。
【００１５】
取付板５は、鋼板などの金属板によって矩形板状に形成される。３つの光源ユニット３は、長手方向に沿って互いに平行となり、かつ、隣の光源ユニット３との間隔が何れも等しくなるように並べた状態で取付板５の下面に固定される（図１及び図２参照）。
【００１６】
反射部材７は、隣り合う光源ユニット３の間に生じる２箇所のスペースにそれぞれ配置される（図１及び図２参照）。これらの反射部材７は、一対の反射板７０と、各反射板７０の上端から上向きに延出された一対の側板７１と、一対の側板７１の先端（上端）から、互いに近付く向きに突出する一対の固定片７２とを有している（図２及び図３参照）。反射板７０は、長方形状の金属板が曲げ加工されて構成されている。一対の反射板７０は、長手方向に沿った一方の端縁同士が繋がっており、長手方向（左右方向）から見てＶ字状に形成されている。一対の固定片７２は、長手方向の中央及び両端近傍に、それぞれねじ孔（雌ねじ）７２０が設けられている（図３参照）。
【００１７】
電源装置４は、プリント配線板に電子部品が実装されて構成される電源回路と、前記電源回路を収容するケース４２とを有する。電源回路は、例えば、電源線を介して供給される交流電圧を昇圧する昇圧チョッパ回路（力率改善回路）、昇圧チョッパ回路の出力電圧（直流電圧）を降圧する降圧チョッパ回路、降圧チョッパ回路を制御する制御回路などで構成されることが好ましい。ケース４２は、図３に示すように、金属製の板材によって長尺の箱状に形成されている。電源装置４は、ケース４２の長手方向の両端部分が取付板５の上面にねじ止めされることによって、取付板５に取り付けられている（図３参照）。
【００１８】
無線通信装置６は、図３に示すように、合成樹脂製の筐体６１、信号ケーブル６２、プラグコネクタ６３などを備えている。無線通信装置６は、筐体６１内に収容されているアンテナで受信する無線信号（例えば、９２０ＭＨｚ帯の電波を媒体とする無線信号）から制御指令を取得するように構成されている。なお、無線信号は、送信機から送信され、照明器具Ｘの点灯・消灯や調光などを行うための制御指令を伝送している。無線通信装置６は、信号ケーブル６２並びにプラグコネクタ６３を介して、無線信号から取得した制御指令を電源装置４の制御回路へ伝送するように構成されている。なお、プラグコネクタ６３は、電源装置４に設けられているレセプタクルコネクタ（図示せず）と電気的に接続される。電源装置４の制御回路は、無線通信装置６から伝送されてくる制御指令に応じて、昇圧チョッパ回路及び降圧チョッパ回路を制御して光源ユニット３を点灯・消灯及び調光するように構成されている。
【００１９】
無線通信装置６は、取付板５の上面に取り付けられている（図３参照）。取付板５には、無線通信装置６の筐体６１の一部（アンテナが収容されているアンテナ収容部６１１２）が挿通される挿通孔５０２と、２つのねじ挿通孔とが設けられている（図２参照）。無線通信装置６の筐体６１は、アンテナ収容部６１１２が挿通孔５０２に挿通された状態で、２つのねじ挿通孔に挿通される２本のねじが、それぞれ筐体６１にねじ込まれることで取付板５の上面に固定されている。
【００２０】
取付枠８は、図２及び図３に示すように、矩形枠状の枠本体８０と、２つの固定ばね８１とを備えている。枠本体８０は、矩形の枠状に形成されている。また、枠本体８０は、上面から上向きに立ち上がる周壁８００が全周に渡って設けられている。また、周壁８００の左右両側の上端には、一対の固定片８０１がそれぞれ内向きに突出している。そして、取付枠８は、２対の固定片８０１がそれぞれ取付板５にねじ止めされることで取付板５と結合されている。
【００２１】
２つの固定ばね８１は、いずれも金属製の線材で構成されたねじりコイルばねである。２つの固定ばね８１は、コイル８１０と、コイル８１０の両端から互いに離れる向きに伸びた一対の腕８１１とを、それぞれ有している。ただし、一対の腕８１１は、先端部分がほぼ直角に曲げられている。これらの固定ばね８１は、２つの連結金具８２によって取付枠８の前後両側の周壁８００にそれぞれ取り付けられている（図３参照）。取付枠８は、２つの固定ばね８１のそれぞれの腕８１１が器具本体１の引掛孔１０２にそれぞれ挿入され、コイル８１０のばね力によって一対の腕８１１が引掛孔１０２の周縁に引っ掛かることにより、器具本体１に取り付けられる（図１参照）。
【００２２】
３つの光源ユニット３は、光源モジュール３０と、カバー３１とをそれぞれ備えている（図２及び図３参照）。光源モジュール３０は、複数の固体発光素子（ＬＥＤ３００）と、これら複数のＬＥＤ３００が下面に実装されている基板３０１と、複数（図示例では４つ）のコネクタ３０２とをそれぞれ有している。基板３０１は、長尺の矩形平板状に形成されている。複数個のＬＥＤ３００は、基板３０１の下面に長手方向に沿って等間隔に並ぶように配置されて実装されている。また、基板３０１の下面には、長手方向（左右方向）の両端にコネクタ３０２がそれぞれ２つずつ実装されている。これらのコネクタ３０２は、基板３０１に形成されている導体（銅はく）を介してＬＥＤ３００と電気的に接続されており、電源装置４からの出力線に結線されたプラグと抜き差し可能に接続される。基板３０１は、取付板５に設けられている複数の固定部によって取付板５に固定されている。なお、これら複数の固定部は、取付板５が切り起こされることで鉤形に形成され、先端部分が基板３０１に近付く向きに曲げられることにより、取付板５の下面との間に基板３０１を挟み込んで固定している。
【００２３】
カバー３１は、図２及び図３に示すように、カバー本体３２と、２つのカバーエンド３３とを有している。カバー本体３２は、アクリル樹脂やポリカーボネート樹脂などの透光性を有する合成樹脂により、主部３２０と、一対の側壁部３２１と、一対の鍔部３２２とが一体に形成されている。主部３２０は、おおよそ半円筒形状に形成されている。一対の側壁部３２１は、長尺な矩形板状であって、主部３２０の長手方向に沿った両側の端縁より上向きに突出するように形成されている。一対の鍔部３２２は、一対の側壁部３２１の先端（上端）から互いに離れる向きに突出するように形成されている（図２及び図３参照）。なお、一対の鍔部３２２は、長手方向の中央及び両端近傍に、半円形状のねじ挿通孔３２３がそれぞれ設けられている。さらに、一対の鍔部３２２は、中央のねじ挿通孔３２３と両端のねじ挿通孔３２３との間に、一対の溝がそれぞれ設けられている。そして、こられ一対の溝に挟まれた部分が、それぞれ差込部３２４となる。
【００２４】
カバーエンド３３は、合成樹脂製であって、カバー本体３２の長手方向の両端の開口を塞ぐように、取付板５に取り付けられている（図２参照）。カバーエンド３３は、上端に設けられている一対の爪部３３０が、取付板５に設けられている一対の孔５０３に挿入され、かつ、取付板５の上面側における孔５０３の周囲に引っ掛かることにより、取付板５に取り付けられている（図３参照）。
【００２５】
カバー本体３２は、取付板５に設けられている複数の支持部５１に、鍔部３２２に設けられている複数の差込部３２４がそれぞれ差し込まれることで取付板５に取り付けられている（図４及び図５参照）。支持部５１は、取付板５の下面において、光源モジュール３０の前後両側に、光源モジュール３０の長手方向に沿って並ぶように２つずつ配置されている。つまり、支持部５１は、カバー本体３２の一対の鍔部３２２に２つずつ設けられている差込部３２４と１対１に対応している。
【００２６】
支持部５１は、図４〜図６に示すように、下から見て袋状、具体的には、１つの側面（差込口５１０）が開放された角錐台形状に形成されている。なお、支持部５１は、例えば、取付板５に直線状の切り込み（ランス）が設けられ、切り込みの片側が下向きにプレスされることで形成されている。つまり、支持部５１は、上から見ると、切り込みによって１つの側面が開放された角錐台形状の凹所となっている。
【００２７】
カバー本体３２は、片側の鍔部３２２の２つの差込部３２４が差込口５１０から支持部５１に差し込まれた後、主部３２０が短手方向（前後方向）に撓ませられた状態で、反対側の鍔部３２２の２つの差込部３２４が差込口５１０から支持部５１に差し込まれる。そして、カバー本体３２は、一対の鍔部３２２の合計４つの差込部３２４が、それぞれ対応する４つの支持部５１に支持されることで取付板５に取り付けられている（図４〜図６参照）。つまり、カバー本体３２は、ドライバなどの工具を使わずに取付板５に取りつられる。そのため、例えば、カバー本体３２がねじ止めされる場合と比較して、組立の作業性の向上を図ることができる。しかも、支持部５１は、カバー本体３２の短手方向に沿って差込部３２４が差し込まれる向き（前後方向）に差込口５１０が開いている。ゆえに、カバー本体３２は、取付板５の下面の法線方向から取付可能である。そのため、図２に示すように、強度向上のために取付板５の周縁部分が全周に渡って下向きに曲げ起こされていても、これらの曲げ起こされた部分が、取付板５へのカバー本体３２の取付作業の邪魔になることがない。その結果、取付板５の大きさや形状などが、取付板５へのカバー本体３２の取付作業に必要なスペースに制約され難い。一方、特許文献１記載の従来例のように、取付板の下面と平行な方向からカバー本体がスライドされて取り付けられる場合、取付板の周縁の曲げ起こされた部分が、取付板へのカバー本体の取付作業の邪魔になる可能性が高い。
【００２８】
ここで、鍔部３２２は、カバー本体３２の短手方向に沿った幅Ｗ１が、カバー本体３２の短手方向に沿った支持部５１の長さＬ１よりも大きくなる（Ｌ１＜Ｗ１）ように形成されている（図６参照）。ゆえに、差込口５１０から支持部５１内に挿入される差込部３２４の量（カバー本体３２の短手方向の長さ）が増えることにより、支持部５１の支持強度の向上が図られる。
【００２９】
上述のように本実施形態に係る照明器具Ｘは、１つ又は複数の光源モジュール３０と、前面（下面）に光源モジュール３０が取り付けられる取付板５とを有している。また、本実施形態に係る照明器具Ｘは、透光性を有する材料で形成され、光源モジュール３０を前方（下方）から覆うように取付板５の前面に取り付けられるカバー３１とを有している。光源モジュール３０は、長尺の基板３０１と、基板３０１の前面に実装されている複数の固体発光素子（ＬＥＤ３００）とを備えている。カバー３１は、一面が開放された長尺の箱状に形成されているカバー本体３２を有している。さらに、カバー３１は、カバー本体３２の開放されている側の縁において長手方向に沿ってカバー本体３２から離れる向きに突出する鍔部３２２と、鍔部３２２に設けられている１つ又は複数の差込部３２４とを有している。取付板５は、口の開いた袋状であって、口（差込口５１０）から差込部３２４が差し込まれ、かつ、差し込まれた差込部３２４を支持する１つ又は複数の支持部５１が設けられている。支持部５１は、カバー本体３２の短手方向に沿って差込部３２４が差し込まれる向きに差込口５１０が開いている。
【００３０】
本実施形態に係る照明器具Ｘが上述のように構成されれば、鍔部３２２の差込部３２４が差込口５１０から差し込まれて支持部５１に支持されるから、ねじ止めと比較して、取付板５へのカバー本体３２の取付（組立）の作業性の向上を図ることができる。しかも、本実施形態に係る照明器具Ｘは、カバー本体３２の短手方向から、差込部３２４が差込口５１０に差し込まれるので、取付板５の前面（下面）と平行にカバー本体がスライドされて取り付けられる場合に比べ、取付板５の大きさや形状などが制約され難い。その結果、本実施形態に係る照明器具Ｘは、組立の作業性の向上を図りつつカバー以外の部材の大きさや形状などの制約を受け難くすることができる。
【００３１】
また、本実施形態に係る照明器具Ｘにおいて、鍔部３２２は、カバー本体３２の短手方向に沿った幅Ｗ１が、カバー本体３２の短手方向に沿った支持部５１の長さＬ１よりも大きくなる（Ｌ１＜Ｗ１）ように形成されていることが好ましい。
【００３２】
本実施形態に係る照明器具Ｘが上述のように構成されれば、差込口５１０から支持部５１内に挿入される差込部３２４の量（カバー本体３２の短手方向の長さ）が増えることにより、支持部５１の支持強度の向上を図ることができる。
【００３３】
ところで、反射部材７は、一対の固定片７２がカバー本体３２の鍔部３２２に重ねられ、取付板５に設けられているねじ挿通孔に上から挿通されるねじ５０１がねじ孔７２０にねじ込まれることにより、取付板５に取り付けられている（図６参照）。つまり、反射部材７の固定片７２と取付板５（の下面）との間で、カバー本体３２の鍔部３２２が挟み込まれている。つまり、反射部材７の固定片７２と取付板５と間に鍔部３２２が挟み込まれるので、差込部３２４が支持部５１から抜け難くなり、取付板５に対するカバー本体３２の取付強度の向上が図られている。
【００３４】
上述のように本実施形態に係る照明器具Ｘにおいて、取付板５の前面（下面）に取り付けられ、光源モジュール３０から放射される照明光を前方（下方）へ反射する１つ又は複数の反射部材７を有していることが好ましい。反射部材７は、前面（下面）が反射面となる反射板７０と、反射板７０の後方（上方）に配置されて取付板５に固定されている固定片７２とを有することが好ましい。固定片７２は、鍔部３２２を取付板５との間に挟むようにして取付板５に固定されていることが好ましい。
【００３５】
本実施形態に係る照明器具Ｘが上述のように構成されれば、差込部３２４が支持部５１から抜け難くなり、取付板５に対するカバー本体３２の取付強度の向上を図ることができる。
【００３６】
ここで、カバー本体３２は、側壁部３２１が人の指で内向きに押されることにより、主部３２０が撓んで支持部５１から差込部３２４が抜けてしまう可能性がある。しかしながら、本実施形態に係る照明器具Ｘにおいて、反射部材７は、側板７１がカバー本体３２の側壁部３２１と隣り合うように取付板５の下面に取り付けられている（図６参照）。そのため、側壁部３２１に邪魔されて、反射部材７の側板７１に人の指が掛かり難くなっているので、差込部３２４が支持部５１から不用意に抜けてしまうことが抑制されている。
【００３７】
上述のように本実施形態に係る照明器具Ｘにおいて、反射部材７は、前端側（下端側）で反射板７０と連結され、かつ、後端側（上端側）で固定片７２と連結されている側板７１を有することが好ましい。カバー本体３２は、光源モジュール３０の前方（下方）に配置されている主部３２０と、主部３２０の長手方向に沿った両側の端縁から後方（上方）へ突出する一対の側壁部３２１とを有することが好ましい。反射部材７は、側板７１が側壁部３２１と隣り合うように取付板５の前面（下面）に取り付けられていることが好ましい。
【００３８】
本実施形態に係る照明器具Ｘが上述のように構成されれば、側壁部３２１に邪魔されて、反射部材７の側板７１に人の指が掛かり難くなるので、差込部３２４が支持部５１から不用意に抜けてしまうことが抑制できる。
【符号の説明】
【００３９】
Ｘ  照明器具
１  器具本体
５  取付板
７  反射部材
３０  光源モジュール
３１  カバー
３２  カバー本体
５１  支持部
７１  側板
７２  固定片
３００  ＬＥＤ（固体発光素子）
３０１  基板
３２０  主部
３２１  側壁部
３２２  鍔部
３２４  差込部
５１０  差込口
【図１】
2017103017.tif 000003
【図２】
2017103017.tif 000004
【図３】
2017103017.tif 000005
【図４】
2017103017.tif 000006
【図５】
2017103017.tif 000007
【図６】
2017103017.tif 000008